(57)【要約】【課題】コンテンツデータをリムーバル記録媒体に保存するときに、保存するコンテンツデータに関連するコンテンツ関連データをジャケット等に容易に印刷することができる。【解決手段】コンテンツ配信装置１０に蓄積されているコンテンツデータの中から所望のコンテンツデータを選択すると共に、ユーザが使用するリムーバル記録媒体に応じた印刷用雛形データを選択し、選択したコンテンツデータと共に選択した印刷用雛形データにコンテンツ関連データを合成した印刷データをダウンロードできるようにすることで、ダウンロードしたコンテンツデータにあったコンテンツ関連データが記載されたジャケット等を印刷できるようにする。【選択図】　図１
2004021652.tif 000002
【特許請求の範囲】
【請求項１】
複数のコンテンツデータを蓄積する第１の蓄積手段と、
上記第１の蓄積手段に蓄積されたコンテンツデータに関連するコンテンツ関連データを蓄積する第２の蓄積手段と、
複数の印刷用雛形データを蓄積する第３の蓄積手段と、
上記第１の蓄積手段に蓄積されているコンテンツデータの中から一又は複数のコンテンツデータを選択しコンテンツ選択データを生成すると共に上記第３の蓄積手段に蓄積されている印刷用雛形データの中から一又は複数の印刷用雛形データを選択し雛形選択データを生成する選択手段と、
上記選択手段で生成したコンテンツ選択データに基づいたコンテンツデータに関連したコンテンツ関連データを上記第２の蓄積手段より読み出すと共に、上記選択手段で生成した雛形選択データに基づき上記第３の蓄積手段より印刷用雛形データを読み出し、各蓄積手段から読み出したコンテンツ関連データと印刷用雛形データとに基づいて印刷データを生成する生成手段と、
上記選択手段で選択したコンテンツデータを再生する再生手段と、
上記生成手段で生成された印刷データを印刷する印刷手段とを備えるデータ処理システム。
【請求項２】
上記印刷用雛形データは、上記コンテンツデータが記録されるリムーバル記録媒体と略同じ大きさに設けられている請求項１記載のデータ処理システム。
【請求項３】
上記上記印刷用雛形データは、上記コンテンツデータが記録されるリムーバル記録媒体のラベル貼着部と略同じ大きさに設けられている請求項１記載のデータ処理システム。
【請求項４】
上記印刷用雛形データは、リムーバル記録媒体のジャケットと略同じ大きさに設けられている請求項１記載のデータ処理システム。
【請求項５】
蓄積手段に蓄積されている複数のコンテンツデータの中から一又は複数のコンテンツデータを選択しコンテンツ選択データを生成するステップと、
蓄積手段に蓄積されている印刷用雛形データの中から一又は複数の印刷用雛形データを選択し、雛形選択データを生成するステップと、
上記コンテンツ選択データに基づいたコンテンツデータに関連したコンテンツ関連データを上記蓄積手段より読み出すと共に、上記雛形選択データに基づき上記蓄積手段より印刷用雛形データを読み出し、読み出したコンテンツ関連データと印刷用雛形データとに基づいて印刷データを生成するステップと、
上記選択したコンテンツデータを再生するステップと、
上記生成手段で生成された印刷データを印刷するステップとを有するデータ処理方法。
【請求項６】
上記印刷用雛形データは、上記コンテンツデータが記録されるリムーバル記録媒体と略同じ大きさに設けられている請求項５記載のデータ処理方法。
【請求項７】
上記上記印刷用雛形データは、上記コンテンツデータが記録されるリムーバル記録媒体のラベル貼着部と略同じ大きさに設けられている請求項５記載のデータ処理方法。
【請求項８】
上記印刷用雛形データは、リムーバル記録媒体のジャケットと略同じ大きさに設けられている請求項５記載のデータ処理方法。
【請求項９】
複数のコンテンツデータを蓄積する第１の蓄積手段と、
上記第１の蓄積手段に蓄積されたコンテンツデータに関連するコンテンツ関連データを蓄積する第２の蓄積手段と、
複数の印刷用雛形データを蓄積する第３の蓄積手段と、
コンテンツデータのコンテンツ選択データと印刷用雛形データの雛形選択データとを受信する受信手段と、
上記受信手段で受信したコンテンツ選択データに基づいたコンテンツデータに関連したコンテンツ関連データを上記第２の蓄積手段より読み出すと共に、上記受信手段で受信した雛形選択データに基づき上記第３の蓄積手段より印刷用雛形データを読み出し、読み出したコンテンツ関連データと印刷用雛形データとに基づいて印刷データを生成する生成手段と、
上記生成手段で生成した印刷データを送信する送信手段とを備えるデータ処理装置。
【請求項１０】
上記印刷用雛形データは、上記コンテンツデータが記録されるリムーバル記録媒体と略同じ大きさに設けられている請求項９記載のデータ処理装置。
【請求項１１】
上記上記印刷用雛形データは、上記コンテンツデータが記録されるリムーバル記録媒体のラベル貼着部と略同じ大きさに設けられている請求項９記載のデータ処理装置。
【請求項１２】
上記印刷用雛形データは、リムーバル記録媒体のジャケットと略同じ大きさに設けられている請求項９記載のデータ処理装置。
【請求項１３】
蓄積手段に蓄積されているコンテンツデータのコンテンツ選択データと印刷用雛形データの雛形選択データとを受信するステップと、
上記コンテンツ選択データに基づいたコンテンツデータに関連したコンテンツ関連データを上記蓄積手段より読み出すと共に、上記雛形選択データに基づき上記蓄積手段より印刷用雛形データを読み出し、読み出したコンテンツ関連データと印刷用雛形データとに基づいて印刷データを生成するステップと、
上記生成した印刷データを送信するステップとを有するデータ処理方法。
【請求項１４】
上記印刷用雛形データは、上記コンテンツデータが記録されるリムーバル記録媒体と略同じ大きさに設けられている請求項１３記載のデータ処理方法。
【請求項１５】
上記上記印刷用雛形データは、上記コンテンツデータが記録されるリムーバル記録媒体のラベル貼着部と略同じ大きさに設けられている請求項１３記載のデータ処理方法。
【請求項１６】
上記印刷用雛形データは、リムーバル記録媒体のジャケットと略同じ大きさに設けられている請求項１３記載のデータ処理方法。
【請求項１７】
コンピュータにより実行可能なコンピュータプログラムが記録された記録媒体であって、上記コンピュータプログラムは、
複数のコンテンツデータの中から一又は複数のコンテンツデータを選択しコンテンツ選択データを生成する第１の選択手段と、
印刷用雛形データの中から一又は複数の印刷用雛形データを選択し、雛形選択データを生成する第２の選択手段と、
上記第１の選択手段が生成したコンテツ選択データに基づいたコンテンツデータに関連したコンテンツ関連データと、上記第２の選択手段が生成した雛形選択データに基づいた印刷用雛形データとに基づいて印刷データを生成する生成手段とを有する記録媒体。
【請求項１８】
上記印刷用雛形データは、上記コンテンツデータが記録されるリムーバル記録媒体と略同じ大きさに設けられている請求項１７記載の記録媒体。
【請求項１９】
上記上記印刷用雛形データは、上記コンテンツデータが記録されるリムーバル記録媒体のラベル貼着部と略同じ大きさに設けられている請求項１７記載の記録媒体。
【請求項２０】
上記印刷用雛形データは、リムーバル記録媒体のジャケットと略同じ大きさに設けられている請求項１７記載の記録媒体。
【請求項２１】
コンピュータにより実行可能なコンピュータプログラムであって、
複数のコンテンツデータの中から一又は複数のコンテンツデータを選択しコンテンツ選択データを生成する第１の選択手段と、
印刷用雛形データの中から一又は複数の印刷用雛形データを選択し、雛形選択データを生成する第２の選択手段と、
上記第１の選択手段が生成したコンテンツ選択データに基づいたコンテンツデータに関連したコンテンツ関連データと、上記第２の選択手段が生成した雛形選択データに基づいた印刷用雛形データとに基づいて印刷データを生成する生成手段とを有するコンピュータプログラム。
【請求項２２】
上記印刷用雛形データは、上記コンテンツデータが記録されるリムーバル記録媒体と略同じ大きさに設けられている請求項２１記載のコンピュータプログラム。
【請求項２３】
上記上記印刷用雛形データは、上記コンテンツデータが記録されるリムーバル記録媒体のラベル貼着部と略同じ大きさに設けられている請求項２１記載のコンピュータプログラム。
【請求項２４】
上記印刷用雛形データは、リムーバル記録媒体のジャケットと略同じ大きさに設けられている請求項２１記載のコンピュータプログラム。
【発明の詳細な説明】
【０００１】
【発明の属する技術分野】
本発明は、コンテンツデータをリムーバル記録媒体に保存するときに、保存するコンテンツデータに関連するコンテンツ関連データをジャケット等に印刷することができるデータ処理システム及び方法データ処理装置及び方法、記録媒体並びにコンピュータプログラムに関する。
【０００２】
【従来の技術】
ゲーム用ソフトウェア、楽曲データ、映画データ等のコンテンツデータを、インターネット等のネットワークを用いて配信するＥＭＤ（Ｅｌｅｃｔｒｏｎｉｃ　Ｍｕｓｉｃ　Ｄｉｓｔｒｉｂｕｔｉｏｎ）等のコンテンツ配信システムがある。この種のシステムでは、ユーザが端末装置でサーバ装置にアクセスし、所望のコンテンツデータを選択し、決済方法等を選択した後に、サーバ装置より選択したコンテンツデータをダウンロードするようになっている。これによって、ユーザは、自分が所有するパーソナルコンピュータのハードディスクやリムーバル記録媒体であるＩＣカード、光ディスク等にダウンロードしたコンテンツデータのファイルを保存することができる。ユーザは、リムーバル記録媒体にダウンロードしたコンテンツデータのファイルを保存したとき、携帯型のデータ処理装置にリムーバル記録媒体を装着することによって、所望のとき、所望の場所で、リムーバル記録媒体に保存されているコンテンツデータを再生し楽しむことができる。
【０００３】
データの記録可能な光ディスク、光磁気ディスク等の記録媒体には、サブコードの一部を利用して、コンテンツデータのタイトル等のコンテンツ関連データが記録されるものがある。具体的に、パーソナルコンピュータ等のデータ処理装置は、コンテンツデータをリムーバル記録媒体に記録するとき、複写元の記録媒体より又はサーバ装置等の管理装置にアクセスしてコンテンツ関連データを取得し、取得したコンテンツ関連データをコンテンツデータと共にリムーバル記録媒体に記録するようにしている。このようにリムーバル記録媒体に記録されたコンテンツ関連データは、コンテンツデータの再生時等に、再生装置の表示部に表示される。
【０００４】
一方で、ユーザは、リムーバル記録媒体を目視するだけでリムーバル記録媒体に記録されているコンテンツデータを識別することは困難であり、そこで、リムーバル記録媒体毎に、リムーバル記録媒体の印刷面やジャケット等に記録したコンテンツデータのコンテンツ関連データを印刷するようにしている。
【０００５】
【発明が解決しようとする課題】
リムーバル記録媒体の印刷面やジャケット等に記録したコンテンツデータのコンテンツ関連データを印刷するためには、ユーザは、より見栄えを良くするために、データ処理装置を用いて所望の背景画像を、ネットワークを介して検索し、また、自ら作成し、この背景画像に重畳してコンテンツ関連データを入力するようにしている。また、リムーバル記録媒体は、光ディスク、光磁気ディスク、ＩＣカード等様々な種類があり、種類に応じて大きさや形状も異なっており、また、リムーバル記録媒体に添付されるジャケットも同様である。このため、ユーザは、自分が使用するリムーバル記録媒体に合わせて背景画像等を加工する必要がある。
【０００６】
このように、リムーバル記録媒体の印刷面やジャケット等に記録したコンテンツデータのコンテンツ関連データを印刷する作業は、ユーザにとって極めて煩雑なものとなっている。
【０００７】
本発明は、以上のような課題に鑑みてなされたものであり、その目的は、コンテンツデータをリムーバル記録媒体に保存するときに、保存するコンテンツデータに関連するコンテンツ関連データをジャケット等に容易に印刷することができるデータ処理システム及び方法データ処理装置及び方法を提供することにある。
【０００８】
また、本発明の目的は、このような目的を実現できるコンピュータプログラムが記録された記録媒体及びコンピュータプログラムを提供することにある。
【０００９】
【課題を解決するための手段】
本発明に係るデータ処理システムは、上述した課題を解決すべく、複数のコンテンツデータを蓄積する第１の蓄積手段と、第１の蓄積手段に蓄積されたコンテンツデータに関連するコンテンツ関連データを蓄積する第２の蓄積手段と、複数の印刷用雛形データを蓄積する第３の蓄積手段と、第１の蓄積手段に蓄積されているコンテンツデータの中から一又は複数のコンテンツデータを選択しコンテンツ選択データを生成すると共に第３の蓄積手段に蓄積されている印刷用雛形データの中から一又は複数の印刷用雛形データを選択し雛形選択データを生成する選択手段と、選択手段で生成したコンテンツ選択データに基づいたコンテンツデータに関連したコンテンツ関連データを第２の蓄積手段より読み出すと共に、選択手段で生成した雛形選択データに基づき第３の蓄積手段より印刷用雛形データを読み出し、各蓄積手段から読み出したコンテンツ関連データと印刷用雛形データとに基づいて印刷データを生成する生成手段と、選択手段で選択したコンテンツデータを再生する再生手段と、生成手段で生成された印刷データを印刷する印刷手段とを備える。
【００１０】
以上のようなデータ処理システムを用いる本発明に係るデータ処理方法は、蓄積手段に蓄積されている複数のコンテンツデータの中から一又は複数のコンテンツデータを選択しコンテンツ選択データを生成するステップと、蓄積手段に蓄積されている印刷用雛形データの中から一又は複数の印刷用雛形データを選択し、雛形選択データを生成するステップと、コンテンツ選択データに基づいたコンテンツデータに関連したコンテンツ関連データを蓄積手段より読み出すと共に、雛形選択データに基づき蓄積手段より印刷用雛形データを読み出し、読み出したコンテンツ関連データと印刷用雛形データとに基づいて印刷データを生成するステップと、選択したコンテンツデータを再生するステップと、生成手段で生成された印刷データを印刷するステップとを有する。
【００１１】
また、このようなデータ処理システムに用いる本発明に係るデータ処理装置は、複数のコンテンツデータを蓄積する第１の蓄積手段と、第１の蓄積手段に蓄積されたコンテンツデータに関連するコンテンツ関連データを蓄積する第２の蓄積手段と、複数の印刷用雛形データを蓄積する第３の蓄積手段と、コンテンツデータのコンテンツ選択データと印刷用雛形データの雛形選択データとを受信する受信手段と、受信手段で受信したコンテンツ選択データに基づいたコンテンツデータに関連したコンテンツ関連データを第２の蓄積手段より読み出すと共に、受信手段で受信した雛形選択データに基づき第３の蓄積手段より印刷用雛形データを読み出し、読み出したコンテンツ関連データと印刷用雛形データとに基づいて印刷データを生成する生成手段と、生成手段で生成した印刷データを送信する送信手段とを備える。
【００１２】
以上のようなデータ処理装置を用いる本発明に係るデータ処理方法は、蓄積手段に蓄積されているコンテンツデータのコンテンツ選択データと印刷用雛形データの雛形選択データとを受信するステップと、コンテンツ選択データに基づいたコンテンツデータに関連したコンテンツ関連データを蓄積手段より読み出すと共に、雛形選択データに基づき蓄積手段より印刷用雛形データを読み出し、読み出したコンテンツ関連データと印刷用雛形データとに基づいて印刷データを生成するステップと、生成した印刷データを送信するステップとを有する。
【００１３】
また、本発明に係る記録媒体は、コンピュータにより実行可能なコンピュータプログラムが記録されてなり、本発明に係るコンピュータプログラムは、複数のコンテンツデータの中から一又は複数のコンテンツデータを選択しコンテンツ選択データを生成する第１の選択手段と、印刷用雛形データの中から一又は複数の印刷用雛形データを選択し、雛形選択データを生成する第２の選択手段と、第１の選択手段が生成したコンテンツ選択データに基づいたコンテンツデータに関連したコンテンツ関連データと、第２の選択手段が生成した雛形選択データに基づいた印刷用雛形データとに基づいて印刷データを生成する生成手段とを有する。
【００１４】
【発明の実施の形態】
以下、本発明が適用されたデータ処理システムを図面を参照して説明する。
【００１５】
本発明を適用したデータ処理システム１は、ユーザに対してコンテンツデータを配信するサービスを提供するために用いられるシステムである。図１に示すように、このデータ処理システム１は、複数のコンテンツデータが蓄積されたコンテンツ配信装置１０と、このコンテンツ配信装置１０にネットワーク２を介して接続される端末装置２０とを備え、コンテンツ配信装置１０と端末装置２０とは、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線、ＣＡＴＶ（Ｃａｂｌｅ　Ｔｅｌｅｖｉｓｉｏｎ）回線、光ケーブル回線、ｘＤＳＬ（ｘ　Ｄｉｇｉｔａｌ　Ｓｕｂｓｃｒｉｂｅｒ　Ｌｉｎｅ）等のネットワーク２を介して接続されおり、ＴＣＰ／ＩＰ（Ｔｒａｎｓｍｉｓｓｉｏｎ　ＣｏｎｔｒｏｌＰｒｏｔｏｃｏｌ／Ｉｎｔｅｒｎｅｔ　Ｐｒｏｔｏｃｏｌ）、ＦＴＰ（Ｆｉｌｅ　Ｔｒａｎｓｆｅｒ　Ｐｒｏｔｏｃｏｌ）等の伝送プロトコルに従ってデータのやり取りを行うようになっている。端末装置２０は、ネットワーク２を介してコンテンツ配信装置１０にアクセスし、所望のコンテンツデータをダウンロードすることができる。このコンテンツ配信装置１０は、ユーザに対してダウンロード数に応じた課金処理をし、例えば専用線３で接続された決済センタ４のデータベースにユーザ毎の課金データを送信することによって決済を行うことができる。
【００１６】
このデータ処理システム１では、ユーザは端末装置を用いてコンテンツ配信装置１０に蓄積されている複数のコンテンツデータより一又は複数のコンテンツデータを選択し、決済方法指定の後、この選択したコンテンツデータをダウンロードすることができる。ユーザは、購入した、すなわちダウンロードしたコンテンツデータを端末装置２０を用いて何時でも再生することができる。また、ユーザは、ダウンロードしたコンテンツデータをリムーバル記録媒体に保存し、このリムーバル記録媒体を他のネットワーク２に接続されていない端末装置に装着することによって、リムーバル記録媒体に保存されているコンテンツデータを、リムーバル記録媒体が装着された上記他の端末装置のハードディスク等に複写することができ、また、リムーバル記録媒体に保存されているコンテンツデータを何時でも再生することができる。
【００１７】
ユーザは、コンテンツデータの購入のとき、このコンテンツデータに関連したコンテンツ名、アーティスト名、アルバム名等のコンテンツ関連データをコンテンツデータと共にダウンロードする。このコンテンツ関連データは、ユーザが選択した印刷用雛形データに合成された状態で端末装置２０に送信される。すなわち、端末装置２０が受信するデータは、直ちにプリンタに出力しジャケット等に印刷することができる印刷データであり、この印刷用雛形データは、ユーザが使用するリムーバル記録媒体に応じて選択することができる。このようなデータ処理システム１では、ユーザはコンテンツデータの取得と同時にそのコンテンツデータの印刷データも取得することができることから、ユーザにとってジャケット、リムーバル記録媒体の印刷面等に印刷するための印刷データを作成する必要が無くなり、利便性の向上を図ることができる。
【００１８】
次に、このようなデータ処理システム１に用いるコンテンツ配信装置１０について、図２を参照して説明する。このコンテンツ配信装置１０は、本サービスを運営するプロバイダ等が設営する装置であって、通常のサーバ装置と略同様な構成を有している。このコンテンツ配信装置１０は、コンテンツ配信サービスに供する複数のコンテンツデータを蓄積する第１の蓄積部１１と、第１の蓄積部１１に蓄積されているコンテンツデータのコンテンツ関連データが蓄積されている第２の蓄積部１２と、印刷用雛形データが蓄積されている第３の蓄積部１３と、端末装置２０から送信されたコンテンツデータのダウンロード要求等を受信すると共にコンテンツデータ等を端末装置２０に送信する通信部１４と、制御プログラム等が格納されたＲＯＭ（Ｒｅａｄ　Ｏｎｌｙ　Ｍｅｍｏｒｙ）１５と、ＲＯＭ１５等から読み出されたコンピュータプログラムが実行されるＲＡＭ（Ｒａｎｄｏｍ　Ａｃｃｅｓｓ　Ｍｅｍｏｒｙ）１６と、全体の動作を制御するＣＰＵ（Ｃｅｎｔｒａｌ　Ｐｒｏｃｅｓｓｉｎｇ　Ｕｎｉｔ）からなる制御部１７とを備え、これらがバス１８を介して接続されている。
【００１９】
第１の蓄積部１１、第２の蓄積部１２、第３の蓄積部１３は、同じ又は異なる大容量ハードディスクにより構成されている。第１の蓄積部１１には、このコンテンツ配信サービスに供する複数のコンテンツデータが蓄積されている。第１の蓄積部１１に蓄積されているコンテンツデータは、それぞれに識別番号が付与されており、この識別番号によって第２の蓄積部１２に蓄積されているコンテンツ関連データや第３の蓄積部１３に蓄積されている印刷用雛形データに関連付けられている。なお、コンテンツデータとしては、ゲーム用ソフトウェア、楽曲データ、映画データ、画像データ、動画データ等である。
【００２０】
第２の蓄積部１２には、第１の蓄積部１１に蓄積されているコンテンツデータに関連するコンテンツ関連データがコンテンツデータの識別番号に関連付けられて保存されている。ここで、コンテンツ関連データは、コンテンツデータが楽曲データであるとき、演奏家名、作詞家名、作曲家名、アルバム名等であり、映画データであるとき、映画の配給会社、監督名、主演俳優名等であり、ゲーム用ソフトウェアであるとき、ゲーム制作会社、声優名、主題歌名等である。すなわち、コンテンツ関連データは、第１の蓄積部１１に蓄積されているそれぞれのコンテンツデータに関連付けられて設けられている。また、第２の蓄積部１２には、コンテンツデータに関連する画像データが保存されており、この画像データは、コンテンツデータに付与されている識別番号に関連付けられている。この画像データとしては、例えば、頒布されるパッケージメディアに同梱されているジャケット写真等である。
【００２１】
第３の蓄積部１３は、印刷用雛形データが保存されている。この印刷用雛形データは、普及しているリムーバル記録媒体の種類に応じて設けられている。
【００２２】
例えば、図３は、追記又は書換型の光ディスクに用いられる印刷用雛形データ５０である。この印刷用雛形データ５０が用いられる光ディスクは、直径を８ｃｍ又は１２ｃｍとなし、中心部にセンタ孔が形成されたものであり、この光ディスク用の印刷用雛形データ５０は、この光ディスクの印刷面の外形に合わせて形成されている。この印刷用雛形データ５０は、例えば、光ディスクの信号記録面と対向する側の印刷面に印刷され、また、印画紙の例えばミシン目の切取線で光ディスクと外形が同じとなるように形成された光ディスクへの貼着部に印刷される。
【００２３】
また、図４は、光磁気ディスクを記録媒体に用いるディスクカートリッジに用いる印刷用雛形データ６０である。この印刷用雛形データ６０に用いられるディスクカートリッジ６５は、直径を例えば６４ｍｍとなす光磁気ディスクが略矩形のカートリッジ本体６６に内接するように収納されてなるものであって、カートリッジ本体６６の主面部の一部に設けられた略矩形のラベル貼着部６７に対応する大きさに略矩形をなすように形成されている。この印刷用雛形データ６０も、印画紙の例えばミシン目の切取線でラベル貼着部６７と外形が同じとなるように形成された貼着部に印刷される。
【００２４】
更に、図５は、図３に示す印刷用雛形データ５０に用いられる光ディスクを収納する収納ケースに、光ディスクと共に収納されるジャケット用の印刷用雛形データ７０である。この印刷用雛形データ７０は、印画紙の例えばミシン目の切取線で収納ケースの底面若しくは蓋体の形状に合わせて形成されている。この印刷用雛形データ７０は、印画紙の例えばミシン目の切取線で収納ケースの底面若しくは蓋体の形状に合わせて形成されたジャケット部に印刷される。
【００２５】
なお、印刷用雛形データの種類は、普及しているリムーバル記録媒体の種類に応じて設けられるものであり、図３乃至図５の例に限定されるものではない。
【００２６】
以上のような印刷用雛形データ５０，６０，７０は、無地でもよく、また、模様、色彩等が施されていてもよい。
【００２７】
図２に示すように、通信部１４は、端末装置２０で指定されたＵＲＬ（Ｕｎｉｆｏｒｍ　Ｒｅｓｏｕｒｃｅ　Ｌｏｃａｔｏｒ）等のアドレスに所在するリソースのダウンロード要求を受信し、また、受信したダウンロード要求に応じたデータを端末装置２０に送信する。また、通信部１４は、端末装置２０から送信されたユーザが選択したコンテンツデータの選択信号、コンテンツデータのダウンロード要求、印刷用雛形データ５０，６０，７０の選択信号等を受信し、受信したダウンロード要求に応じたコンテンツデータ等を端末装置２０に送信する。
【００２８】
以上のように構成されたコンテンツ配信装置１０は、端末装置２０からのコンテンツデータの選択信号を通信部１４で受信すると、コンテンツデータの選択信号に応じたコンテンツデータを第１の蓄積部１１より読み出し、通信部１４より端末装置２０に送信する。また、コンテンツ配信装置１０は、制御部１７が第２の蓄積部１２にアクセスし、コンテンツデータの選択信号に応じたタイトル、画像データ等のコンテンツ関連データを抽出すると共に、第３の蓄積部１３にアクセスし、コンテンツデータの選択信号に応じた印刷用雛形データ５０，６０，７０を抽出する。コンテンツ配信装置１０は、制御部１７の制御により、コンテンツデータの選択信号に応じて第２の蓄積部１２より抽出したコンテンツ関連データ８０を、第３の蓄積部１３よりコンテンツデータの選択信号に応じて抽出した印刷用雛形データ５０，６０，７０に合成し、印刷用データ５１，６１，７１を生成する。
【００２９】
ここで、印刷データについて説明する。図６は、図３に示す追記又は書換型の光ディスクに用いられる印刷用雛形データ５０にコンテンツ関連データ８０を合成した印刷データ５１を示す。印刷データ５１では、印刷用雛形データ５０に、コンテンツ関連データ８０として、上部に記録される複数のコンテンツデータのタイトルと収録コンテンツデータのタイトルと演奏家が合成される。また、図７は、図４に示す光磁気ディスクを記録媒体に用いるディスクカートリッジに用いる印刷用雛形データ６０にコンテンツ関連データ８０を合成した印刷データ６１を示す。印刷データ６１では、印刷用雛形データ６０に、コンテンツ関連データ８０として、記録される複数のコンテンツデータのアルバム名と収録コンテンツデータのタイトルと演奏家が合成される。更に、図８は、図５に示す光磁気ディスクを記録媒体に用いるディスクカートリッジに用いる印刷用雛形データ７０にコンテンツ関連データ８０を合成した印刷データ７１を示す。印刷データ７１では、印刷用雛形データ７０に、コンテンツ関連データ８０として、記録される複数のコンテンツデータのアルバム名と収録コンテンツデータのタイトルと演奏家が合成される。
【００３０】
コンテンツ配信装置１０は、端末装置２０に対してコンテンツデータと共に印刷データ５１，６１，７１を通信部１４より端末装置２０に送信する。また、コンテンツ配信装置１０は、コンテンツデータのダウンロードを行ったユーザに対する課金処理を行う。
【００３１】
次に、コンテンツ配信装置１０にアクセスする端末装置２０について図９を参照して説明する。この端末装置２０は、例えばユーザ宅に設置される据置き型又は携帯型のパーソナルコンピュータ等で構成されるデータ処理装置である。この端末装置２０は、コンテンツデータ等を保存する記憶部２１と、制御プログラム等が格納されたＲＯＭ（Ｒｅａｄ　Ｏｎｌｙ　Ｍｅｍｏｒｙ）２２と、ＲＯＭ２２等から読み出されたコンピュータプログラムが実行されるＲＡＭ（Ｒａｎｄｏｍ　Ａｃｃｅｓｓ　Ｍｅｍｏｒｙ）２３と、コンテンツ配信装置１０とデータ送受信を行うための通信部２４と、コンテンツデータの選択、再生操作等を行うための入力操作部２５と、音声データを再生音に変換して出力するスピーカ２６と、画像を表示するモニタ２７と、画像データ等を印刷するプリンタ２８と、リムーバル記録媒体が装着される装着部２９と、全体の動作を制御する制御部３０とを備え、これらがバス３１を介して接続されている。
【００３２】
記憶部２１は、例えば装置本体に内蔵されたハードディスクであり、このハードディスクには、オペレーティングシステム、閲覧ソフトウェアであるブラウザ、文書作成用ソフトウェア等のアプリケーションプログラムが格納されている。また、この記憶部２１には、コンテンツ配信装置１０よりダウンロードしたコンテンツデータが保存される。
【００３３】
通信部２４は、コンテンツ配信装置１０より所望のコンテンツデータをダウンロードするためのコンテンツデータの選択信号やダウンロード要求を送信し、コンテンツ配信装置１０から送信されたコンテンツデータを受信する。また、通信部２４は、印刷用雛形データ５０，６０，７０の選択信号をコンテンツ配信装置１０に送信し、コンテンツ配信装置１０送信された印刷データ５１，６１，７１を受信する。
【００３４】
入力操作部２５は、キーボード、マウス、テンキー等からなり、ユーザの操作に応じて操作信号を生成する。例えば、ユーザは、モニタ２７の表示を見ながら入力操作部２５を操作することによって、ダウンロードするコンテンツデータを選択し、また、印刷用雛形データ５０，６０，７０を選択することができる。
【００３５】
スピーカ２６は、楽曲データ等を再生音で出力する。なお、楽曲データ等は、スピーカ２６の代わりに、イヤホン、ヘッドフォン等より出力するようにしてもよい。モニタ２７は、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）等からなり、ホームページ等を表示する。また、モニタ２７では、コンテンツ配信装置１０よりダウンロードした印刷データ５１，６１，７１を表示し、ユーザが印刷前の確認を行うことができる。
【００３６】
プリンタ２８は、ＵＳＢ（Ｕｎｉｖｅｒｓａｌ　Ｓｅｒｉａｌ　Ｂｕｓ）、ＩＥＥＥ１３９４（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ　１３９４）等のインタフェースによってバス３１に接続されている。このプリンタ２８は、インクジェット型、熱転写型等のプリンタ装置である。このプリンタ２８では、印画紙又は光ディスクの印刷面に、コンテンツ配信装置１０よりダウンロードした印刷データ５１，６１，７１を印刷する。
【００３７】
装着部２９は、装置本体に対して外部記憶装置となるリムーバル記録媒体が装着されるものであり、ＵＳＢやＩＥＥＥ１３９４等のインタフェースでバス３１と接続されている。リムーバル記録媒体としては、追記型若しくは書換型の光ディスク、光磁気ディスク、磁気ディスク等のディスクを記録媒体に用いるディスクカートリッジ、フラッシュメモリを記憶素子に用いるＩＣカード等である。このようなリムーバル記録媒体には、例えば記憶部２１に保存されているコンテンツ配信装置１０よりダウンロードしたコンテンツデータが複写され、また、コンテンツ配信装置１０からダウンロードしたコンテンツデータを直接保存される。
【００３８】
以上のように構成されたコンテンツデータのダウンロードを行う端末装置２０は、ユーザが入力操作部２５を用いて所定のアドレスデータを入力することによって、通信部２４よりコンテンツ配信サービスを提供するコンテンツ配信装置１０にアクセスすると、通信部２４でコンテンツデータのダウンロード用のウェブページを構成する画像データ等をダウンロードし、このウェブページをモニタ２７に表示する。モニタ２７に、ダウンロード可能なコンテンツデータの一覧、料金表等が表示されることで、ユーザは、モニタ２７に表示された内容を見ながら入力操作部２５を用いてダウンロードするコンテンツデータを選択することができる。端末装置２０は、ユーザによってダウンロードするコンテンツデータが選択されると、ユーザＩＤ、コンテンツデータの選択信号、ダウンロード要求等を通信部２４より送信する。そして、端末装置２０は、通信部２４で、コンテンツ配信装置１０より送信されたコンテンツデータをダウンロードし、ダウンロードしたコンテンツデータを記憶部２１又は装着部２９に装着されているリムーバル記録媒体に保存する。このとき、ユーザには、コンテンツデータのファイルをダウンロードする対価としてコンテンツ配信装置１０で課金処理がされる。また、端末装置２０では、コンテンツデータをダウンロードするとき、印刷用雛形データ５０，６０，７０を選択し、コンテンツ配信装置１０で選択された印刷用雛形データ５０，６０，７０にコンテンツ関連データが合成されてなる印刷データ５１，６１，７１を通信部２４でダウンロードする。このダウンロードした印刷データ５１，６１，７１は、プリンタ２８で印画紙又は光ディスクの印刷面に印刷される。
【００３９】
ユーザは、このコンテンツデータを再生するとき、入力操作部２５を用いて記憶部２１又は装着部２９に装着されているリムーバル記録媒体に保存されているコンテンツデータを選択する。すると、端末装置２０は、記憶部２１又は装着部２９に装着されているリムーバル記録媒体より選択されたファイルのコンテンツデータを読み出す。記憶部２１又は装着部２９に装着されているリムーバル記録媒体より読み出されたコンテンツデータは、復調処理、エラー訂正復号処理等のデコード処理がなされ、ディジタル信号からアナログ信号に変換された後スピーカ２７より再生音として出力されると共にモニタ２７に表示される。
【００４０】
次に、端末装置２０を用いてコンテンツ配信装置１０にアクセスし所望のコンテンツデータをダウンロードするまでの一連の手順について図１０を参照して説明する。
【００４１】
端末装置２０は、ユーザが入力操作部２５を用いてコンテンツデータのダウンロード用のウェブページのアドレス情報を入力し送信操作を行うと、ステップＳ１において、このウェブページのダウンロード要求をコンテンツ配信装置１０に送信する。ステップＳ２において、コンテンツ配信装置１０は、端末装置２０から送信されたコンテンツデータのダウンロード用のウェブページのダウンロード要求を受信すると、コンテンツデータのダウンロード用のウェブページを構成する画像データ等を通信部１４よりネットワーク２を介して端末装置２０に送信する。具体的に、コンテンツ配信装置１０は、ダウンロードサービスに供しているコンテンツデータの一覧データを端末装置２０に送信する。
【００４２】
ステップＳ３において、端末装置２０は、通信部２４でコンテンツ配信装置１０からのダウンロード可能なコンテンツデータの一覧データ等を受信すると、受信したコンテンツデータの一覧データ等をディジタル信号をアナログ信号に変換する等の処理を行って、モニタ２７に表示する。ユーザがモニタ２７に表示されたダウンロード可能なコンテンツデータの一覧を見ながら一又は複数のダウンロードを所望するコンテンツデータを入力操作部２５を用いて選択すると、端末装置２０は、ステップＳ４において、通信部２４より選択したコンテンツデータの選択信号と共に選択したコンテンツデータのダウンロード要求をコンテンツ配信装置１０に送信する。
【００４３】
コンテンツ配信装置１０は、通信部１４でコンテンツデータの選択信号と選択したコンテンツデータのダウンロード要求を受信すると、次いで、ステップＳ５において、コンテンツデータの選択信号に応じて第２の蓄積部１２より抽出したコンテンツ関連データ８０を、第３の蓄積部１３よりコンテンツデータの選択信号に応じて抽出した印刷用雛形データ５０，６０，７０に合成し、印刷データ５１，６１，７１を生成する。そして、コンテンツ配信装置１０は、通信部１４より生成した印刷データ５１，６１，７１を端末装置２０に送信する。
【００４４】
ステップＳ６において、端末装置２０は、通信部２４でコンテンツ配信装置１０からのダウンロード可能な図６乃至図８に示す印刷データ５１，６１，７１等をモニタ２７に一覧表示する。印刷データ５１，６１，７１がモニタ２７に一覧表示されることによって、ユーザは、ダウンロードするコンテンツデータを保存するリムーバル記録媒体の種類に応じて、一覧表示されている印刷データ５１，６１，７１の中から一又は複数の印刷データを入力操作部２５を用いて選択する。そして、端末装置２０は、印刷データ５１，６１，７１の選択信号を通信部２４よりコンテンツ配信装置１０に送信する。
【００４５】
コンテンツ配信装置１０は、通信部１４で端末装置２０から送信された印刷データ５１，６１，７１の選択信号を受信すると、次いで、ステップＳ７において、ユーザに対して課金する見積りデータを生成し、この見積りデータ等を通信部１４より端末装置２０に送信する。端末装置２０は、コンテンツ配信装置１０から送信された見積りデータ等を通信部２４で受信すると、モニタ２７に見積金額や支払い方法を選択するための画像を表示する。ユーザが入力操作部２５を用いて支払い方法、例えばクレジットカードを用いて支払いするか、現金振り込みで支払いするか等を選択し、見積金額に同意すると、端末装置２０は、ステップＳ８において、通信部２４より課金に関する同意データ等をコンテンツ配信装置１０に送信する。コンテンツ配信装置１０は、通信部１４で端末装置２０からの課金に関する同意データ等を受信したかどうかを判断し、同意データ等を受信したとき、ステップＳ１０に進み、受信しなかったとき、ステップＳ１１に進み、ログアウトし、端末装置２０によるアクセス不能の状態にする。
【００４６】
コンテンツ配信装置１０は、通信部１４で端末装置２０からの課金に関する同意データ等を受信すると、制御部３０で第１の蓄積部１１よりコンテンツデータの選択信号に応じたコンテンツデータを読み出し、読み出したコンテンツデータを通信部１４より端末装置２０に送信する。また、コンテンツ配信装置１０は、コンテンツデータと共に、ユーザが選択した印刷データ５１，６１，７１を通信部１４より端末装置２０に送信する。
【００４７】
ステップＳ１２において、端末装置２０は、通信部２４で、コンテンツ配信装置１０より送信されたコンテンツデータ及び印刷データ５１，６１，７１をダウンロードすると、ダウンロードしたコンテンツデータを記憶部２１又は装着部２９に装着されているリムーバル記録媒体に保存する。ユーザは、記憶部２１にダウンロードしたコンテンツデータを保存したときには、更に、ダウンロードしたコンテンツデータを装着部２９に装着されているリムーバル記録媒体に複写することができる。また、ユーザは、ダウンロードしたコンテンツデータにあった印刷データ５１，６１，７１、すなわち図６乃至図８に示すように、印刷用雛形データ５０，６０，７０にコンテンツデータにあった画像データ、タイトル、演奏家名等のコンテンツ関連データ８０が合成された印刷データ５１，６１，７１を取得することができる。
【００４８】
ユーザは、このコンテンツデータを再生するとき、入力操作部２５を用いて記憶部２１又は装着部２９に装着されているリムーバル記録媒体に保存されているコンテンツデータを選択すると、制御部３０は、記憶部２１又はリムーバル記録媒体から選択されたコンテンツデータを読み出し、このコンテンツデータに対して復調、エラー訂正復号処理、Ｄ／Ａ変換等のデコード処理を行い、楽曲データ等をスピーカ２６より再生音で出力し、また、モニタ２７に画像を表示する。
【００４９】
ところで、ユーザは、コンテンツデータを保存したリムーバル記録媒体を、更に別の端末装置、例えばＰＤＡ（Ｐｅｒｓｏｎａｌ　Ｄｉｇｉｔａｌ（Ｄａｔａ）　Ａｓｓｉｓｔａｎｔｓ）等の携帯型のデータ処理装置に装着することによって、コンテンツデータを聞くことができる。ユーザは、リムーバル記録媒体を目視するだけでリムーバル記録媒体に記録されているコンテンツデータの内容を識別することは困難であり、そこで、コンテンツ配信装置１０よりダウンロードした印刷データ５１，６１，７１をリムーバル記録媒体である光ディスクの印刷面やジャケットに印刷することができる。
【００５０】
例えば、ユーザは、入力操作部２５を用いて記憶部２１等に保存されているアプリケーションプログラムを起動し、記憶部２１等に保存されている印刷データ５１，６１，７１を読み出すことによってモニタ２７に表示させることができ、印刷データ５１，６１，７１の確認を行うことができる。次いで、プリンタ２８に所定の印画紙又は光ディスク等のリムーバル記録媒体をセットした状態で、ユーザが入力操作部２５を用いて印刷を実行する操作を行うと、記憶部２１に保存されている印刷データ５１，６１，７１は、所定の印画紙又は光ディスク等のリムーバル記録媒体に印刷される。
【００５１】
例えば、光ディスク用の図６に示す印刷データ５１は、プリンタ２８にセットされた光ディスクの印刷面に直接印刷され、また、プリンタ２８にセットされた所定印画紙の例えばミシン目の切取線で光ディスクと外形が同じとなるように形成された光ディスクへの貼着部に印刷される。印刷データ５１が印刷された印画紙の貼着部は、切取線で印画紙より切り取られ、光ディスクの印刷面に貼着される。また、ディスクカートリッジ６５用の図７に示す印刷データ６１は、プリンタ２８にセットされた印画紙の貼着部に印刷され、印刷データ６１が印刷された貼着部は、ディスクカートリッジ６５のラベル貼着部６７に貼着される。更に、光ディスクの収納ケース用の図８に示す印刷データ７１は、プリンタ２８にセットされた所定印画紙のジャケット部に印刷される。印刷データ７１が印刷されたジャケット部は、光ディスクの収納ケースの底板や蓋体に配設される。このように、リムーバル記録媒体に保存されているコンテンツデータのコンテンツ関連データ８０は、リムーバル記録媒体やジャケットに印刷されることから、ユーザは、コンテンツ配信装置１０よりダウンロードしたコンテンツデータが保存されているリムーバル記録媒体を容易に識別することができる。
【００５２】
以上のようなデータ処理システム１は、コンテンツ配信装置１０より所望のコンテンツデータをダウンロードするとき、ダウンロードするコンテンツデータと共に、そのコンテンツデータに関連する印刷データ５１，７１，７１をダウンロードする。ユーザは、印刷用雛形データ５０，６０，７０を自分がコンテンツデータを保存するリムーバル記録媒体の種類に応じて選択することができ、この選択した印刷用雛形データ５０，６０，７０に自分がダウンロードしたコンテンツデータのコンテンツ関連データ８０を合成した印刷データ５１，６１，７１を入手することができ、この印刷データ５１，６１，７１を直ちにプリンタ２８で印刷することができる。これによって、データ処理システム１では、ユーザによる自分でコンテンツ関連データ８０を印刷するための印刷データ５１，６１，７１の作成の手間を省くことができる。
【００５３】
また、コンテンツ関連データ８０として、コンテンツデータのタイトル等の他に、画像データ、例えばパッケージメディアとして頒布されているコンテンツデータのジャケット写真と同じ又は類似する画像データを合成するようにすることで、コンテンツデータにあった印刷データ５１，６１，７１を入手することができる。
【００５４】
なお、以上の例では、コンテンツ配信装置１０が印刷用雛形データ５０，６０，７０にコンテンツ関連データ８０を合成した印刷データ５１，６１，７１をユーザの端末装置にコンテンツデータと共に送信する例を説明したが、コンテンツデータと印刷データ５１，６１，７１とは、同時ではなく異なるときに送信するようにしてもよい。
【００５５】
また、印刷用雛形データ５０，６０，７０とコンテンツ関連データ８０の合成は、上述の例のようにコンテンツ配信装置１０で行うのではなく、端末装置２０で行うようにしてもよい。この場合、例えば、端末装置２０には、印刷用雛形データ５０，６０，７０とコンテンツ関連データ８０の合成を行うためのアプリケーションプログラムがインストールされる。また、記憶部２１には、アプリケーションプログラムに関連付けられて印刷用雛形データ５０，６０，７０が保存されている。そして、ユーザがコンテンツ配信装置１０にアクセスして所望のコンテンツデータをダウンロードしたとき、端末装置２０は、そのダウンロードしたコンテンツデータのコンテンツ関連データ８０もダウンロードする。そして、端末装置２０は、このダウンロードしたコンテンツ関連データ８０に、記憶部２１に保存されているユーザが入力操作部２５で選択した印刷用雛形データ５０，６０，７０を合成し、印刷データ５１，６１，７１を生成し、プリンタ２８で印刷できるようにする。これによって、コンテンツ配信装置１０側のデータ処理量を少なくすることができる。
【００５６】
なお、端末装置２０にインストールするアプリケーションプログラムは、光ディスク、磁気ディスク、ＩＣカード等のリムーバル記録媒体によって頒布され、このリムーバル記録媒体を装着部２９に装着することによって記憶部２１にインストールすることができる。また、このアプリケーションプログラムは、ネットワーク２を介してコンテンツ配信装置１０等のサーバ装置よりダウンロードするようにしてもよい。
【００５７】
【発明の効果】
本発明によれば、ネットワークを介してコンテンツデータを入手することができるデータ処理システムにおいて、ユーザ所望のコンテンツデータをダウンロードするときに、このコンテンツデータに関連する関連データを、ユーザが使用するリムーバル記録媒体に応じた印刷用雛形データに合成した印刷データがユーザに配信されることから、ユーザが自分でダウンロードしたコンテンツデータに合った印刷データを作成する手間を省くことができる。
【図面の簡単な説明】
【図１】本発明が適用されたデータ処理システムの構成を説明する図である。
【図２】上記コンテンツ配信システムに用いるコンテンツ配信装置のブロック図である。
【図３】追記又は書換型の光ディスクに用いられる印刷用雛形データを説明する図である。
【図４】光磁気ディスクを記録媒体に用いるディスクカートリッジに用いる印刷用雛形データを説明する図である。
【図５】収納ケースに、光ディスクと共に収納されるジャケット用の印刷用雛形データを説明する図である。
【図６】図３に示す追記又は書換型の光ディスクに用いられる印刷用雛形データにコンテンツ関連データを合成した印刷データを説明する図である。
【図７】図４に示す光磁気ディスクを記録媒体に用いるディスクカートリッジに用いる印刷用雛形データにコンテンツ関連データを合成した印刷データを説明する図である。
【図８】図５に示す光磁気ディスクを記録媒体に用いるディスクカートリッジに用いる印刷用雛形データにコンテンツ関連データを合成した印刷データを説明する図である。
【図９】コンテンツ配信装置にアクセスする端末装置のブロック図である。
【図１０】端末装置を用いてコンテンツ配信装置にアクセスし所望のコンテンツデータをダウンロードするまでの一連の手順を説明するフローチャートである。
【符号の説明】
１　コンテンツ配信システム、２　ネットワーク、３　専用線、４　決済センタ、１０　コンテンツ配信装置、１１　第１の蓄積部、１２　第２の蓄積部、１３第３の蓄積部、２０　端末装置、２１　記憶部、５０，６０，７０　印刷用雛形データ、５１，６１，７１　印刷データ、８０　コンテンツ関連データ
【図１】
2004021652.tif 000003
【図２】
2004021652.tif 000004
【図３】
2004021652.tif 000005
【図４】
2004021652.tif 000006
【図５】
2004021652.tif 000007
【図６】
2004021652.tif 000008
【図７】
2004021652.tif 000009
【図８】
2004021652.tif 000010
【図９】
2004021652.tif 000011
【図１０】
2004021652.tif 000012